(57)【要約】【課題】外部装置と通信可能な状態であるか否かを確実かつ容易に特定させる。【解決手段】表示用データＤ１の送信を要求する制御データＤ０が送信されて無線通信部１４によって受信されたときに制御データ受信フラグをオン状態に制御すると共に無線通信部１４を制御して要求された表示用データＤ１をスマートフォン２に送信させ、かつ制御データ受信フラグをオン状態に制御した状態において予め規定された条件が満たされたときに制御データ受信フラグをオフ状態に制御する第１の処理と、制御データ受信フラグがオン状態およびオフ状態のいずれであるかを予め規定された時間間隔で特定し、かつオン状態であるときに無線通信部１４が通信状態である旨を報知すると共にオフ状態であるときに無線通信部１４が非通信状態である旨を報知する第２処理とを並行して実行する。【選択図】図１
2014011603.tif 000002
【特許請求の範囲】
【請求項１】
物理量を測定して測定データを出力する測定部と、外部装置から送信された制御データを受信すると共に前記測定データに基づいて生成された送信用データを当該外部装置に送信する通信部と、前記測定部による前記物理量の測定、並びに前記通信部による前記制御データの受信および前記送信用データの送信を制御すると共に、当該測定部から出力された前記測定データに基づいて前記送信用データを生成する処理部とを備えた測定装置であって、
前記処理部は、前記外部装置から前記送信用データの送信を要求する前記制御データが送信されて前記通信部によって受信されたときに当該制御データが受信された旨を示す制御データ受信フラグをオン状態に制御すると共に当該通信部を制御して当該制御データによって要求された当該送信用データを当該外部装置に送信させ、かつ前記制御データ受信フラグをオン状態に制御した状態において予め規定された条件が満たされたときに当該制御データ受信フラグをオフ状態に制御する第１の処理と、前記制御データ受信フラグが前記オン状態および前記オフ状態のいずれであるかを予め規定された時間間隔で特定し、かつ前記オン状態であると特定したときに前記通信部が前記外部装置と通信している通信状態である旨を報知すると共に前記オフ状態であると特定したときに当該通信部が当該外部装置と通信していない非通信状態である旨を報知する第２処理とを並行して実行する測定装置。
【請求項２】
前記処理部の制御に従って前記測定部による前記物理量の測定結果および前記通信部が作動中である旨を示す作動中マークを表示する表示部を備え、
前記処理部は、前記通信部の作動を開始させたときに、前記表示部を制御して前記作動中マークを表示させると共に、前記第２の処理として、前記制御データ受信フラグが前記オン状態であり、かつ前記表示部に前記作動中マークを表示させているときに当該表示部を制御して当該作動中マークを非表示にさせ、前記制御データ受信フラグが前記オン状態であり、かつ前記作動中マークを非表示にさせているときに前記表示部を制御して当該作動中マークを表示させ、前記制御データ受信フラグが前記オフ状態であり、かつ前記表示部に前記作動中マークを表示させているときに当該表示部を制御して当該作動中マークの表示を継続させ、前記制御データ受信フラグが前記オフ状態であり、かつ前記作動中マークを非表示にさせているときに前記表示部を制御して当該作動中マークを表示させるマーク表示状態切替え処理を実行する請求項１記載の測定装置。
【請求項３】
処理部は、前記第１の処理において、前記制御データを受信してから予め規定された時間が経過したときに前記予め規定された条件が満たされたと判別して前記制御データ受信フラグをオフ状態に制御する請求項１または２記載の測定装置。
【請求項４】
請求項１から３のいずれかに記載の測定装置と、前記外部装置としての携帯端末装置とを備え、当該測定装置による前記物理量の測定結果を当該携帯端末装置の表示部に表示可能に構成されている測定システム。
【発明の詳細な説明】
【技術分野】
【０００１】
本発明は、外部装置から送信された制御データを受信すると共に送信用データを外部装置に送信する通信部を備えて構成された測定装置、および測定装置と外部装置としての携帯端末装置とを備えて構成された測定システムに関するものである。
【背景技術】
【０００２】
例えば、特開２０１１−１７６５３０号公報には、携帯電話を使用してＯＴＤＲ（光パルス試験機）を遠隔操作可能に構成された遠隔操作システムが開示されている。この遠隔操作システムの使用に際しては、まず、ＯＴＤＲおよび携帯電話を相互に無線接続させる。この際に、ＯＴＤＲおよび携帯電話の間で無線接続が確立されたとき（通信可能な状態となったとき）には、携帯電話からＯＴＤＲに初期化指令が送信されてＯＴＤＲが初期化される。次いで、携帯電話を操作して測定条件のデータおよび測定開始指令をＯＴＤＲに送信する。これに応じて、ＯＴＤＲでは、送信された測定条件に従って測定処理が実行される。また、ＯＴＤＲは、その時点におけるＯＴＤＲの状態を示す状態情報を携帯電話に送信する。この際に、携帯電話では、送信された状態情報に基づき、例えば「Measuring Now ・・・」とのメッセージが表示部に表示される。
【０００３】
また、携帯電話では、測定データ要求部が、ＯＴＤＲから送信される状態情報に基づいてＯＴＤＲによる測定処理が終了したか否かを判別し、終了したときには、波形データの送信を要求するデータ要求を送信する。これに応じて、ＯＴＤＲから携帯電話に波形データが送信されて、送信された波形データに基づく波形が携帯電話の表示部に表示される。また、上記の公開公報には、ＯＴＤＲによる測定処理の結果を携帯電話の表示部にリアルタイム表示させる例も開示されている。具体的には、この例では、携帯電話が、ＯＴＤＲに測定開始指令を送信した後に、データ要求を送信する処理と、ＯＴＤＲから送信された波形データに基づく波形の表示処理とを一定時間間隔で交互に実行する。これにより、携帯電話の表示部に表示されている測定結果が一定時間間隔で更新される。
【先行技術文献】
【特許文献】
【０００４】
【特許文献１】特開２０１１−１７６５３０号公報（第６−９頁、第１−１２図）
【発明の概要】
【発明が解決しようとする課題】
【０００５】
ところが、従来の遠隔操作システムにおけるＯＴＤＲには、以下の問題点が存在する。すなわち、従来のＯＴＤＲでは、携帯電話との間で無線接続を確立した状態において、携帯電話から送信された測定条件のデータおよび測定開始指令に基づいて測定処理を実行すると共に、携帯電話から送信されたデータ要求に応じて波形データを携帯電話に送信する構成が採用されている。この場合、無線ＬＡＮやＢｌｕｅｔｏｏｔｈ（登録商標）等の通信規格に従って外部装置と通信する測定装置においては、無線通信部（通信用モジュール）に電源が供給されて無線通信部が作動状態となったときに、その旨を示すマーク（以下、「作動中マーク」ともいう）が表示部に表示される構成が採用されている。したがって、この種の測定装置においては、表示部に作動中マークが表示されているか否かに基づき、無線通信部が作動中であるか否かを特定することが可能となっている。
【０００６】
しかしながら、この種の測定装置では、例えば、測定装置が外部装置から離れ過ぎて外部装置と通信できなくなったとき、正常な通信が困難な程度に強いノイズが発生したとき、および電源が遮断されて外部装置（外部装置の無線通信部）が作動を停止したときに、外部装置との間において確立されている無線接続が解除されて外部装置と通信できなくなっているにも拘わらず、表示部に作動中マークが表示された状態が維持される構成が採用されている。したがって、この種の測定装置では、表示部に作動中マークが表示されている状態において測定装置が何も受信していないときに、外部装置が何も送信していないのか、または外部装置が何らかのデータを送信しているにも拘わらずそのデータを受信できないのかを特定することができないという問題点がある。
【０００７】
本発明は、かかる問題点に鑑みてなされたものであり、外部装置と通信可能な状態であるか否かを確実かつ容易に特定させ得る測定装置および測定システムを提供することを主目的とする。
【課題を解決するための手段】
【０００８】
上記目的を達成すべく請求項１記載の測定装置は、物理量を測定して測定データを出力する測定部と、外部装置から送信された制御データを受信すると共に前記測定データに基づいて生成された送信用データを当該外部装置に送信する通信部と、前記測定部による前記物理量の測定、並びに前記通信部による前記制御データの受信および前記送信用データの送信を制御すると共に、当該測定部から出力された前記測定データに基づいて前記送信用データを生成する処理部とを備えた測定装置であって、前記処理部は、前記外部装置から前記送信用データの送信を要求する前記制御データが送信されて前記通信部によって受信されたときに当該制御データが受信された旨を示す制御データ受信フラグをオン状態に制御すると共に当該通信部を制御して当該制御データによって要求された当該送信用データを当該外部装置に送信させ、かつ前記制御データ受信フラグをオン状態に制御した状態において予め規定された条件が満たされたときに当該制御データ受信フラグをオフ状態に制御する第１の処理と、前記制御データ受信フラグが前記オン状態および前記オフ状態のいずれであるかを予め規定された時間間隔で特定し、かつ前記オン状態であると特定したときに前記通信部が前記外部装置と通信している通信状態である旨を報知すると共に前記オフ状態であると特定したときに当該通信部が当該外部装置と通信していない非通信状態である旨を報知する第２処理とを並行して実行する。
【０００９】
また、請求項２記載の測定装置は、請求項１記載の測定装置において、前記処理部の制御に従って前記測定部による前記物理量の測定結果および前記通信部が作動中である旨を示す作動中マークを表示する表示部を備え、前記処理部は、前記通信部の作動を開始させたときに、前記表示部を制御して前記作動中マークを表示させると共に、前記第２の処理として、前記制御データ受信フラグが前記オン状態であり、かつ前記表示部に前記作動中マークを表示させているときに当該表示部を制御して当該作動中マークを非表示にさせ、前記制御データ受信フラグが前記オン状態であり、かつ前記作動中マークを非表示にさせているときに前記表示部を制御して当該作動中マークを表示させ、前記制御データ受信フラグが前記オフ状態であり、かつ前記表示部に前記作動中マークを表示させているときに当該表示部を制御して当該作動中マークの表示を継続させ、前記制御データ受信フラグが前記オフ状態であり、かつ前記作動中マークを非表示にさせているときに前記表示部を制御して当該作動中マークを表示させるマーク表示状態切替え処理を実行する。
【００１０】
さらに、請求項３記載の測定装置は、請求項１または２記載の測定装置において、処理部は、前記第１の処理において、前記制御データを受信してから予め規定された時間が経過したときに前記予め規定された条件が満たされたと判別して前記制御データ受信フラグをオフ状態に制御する。
【００１１】
また、請求項４記載の測定システムは、請求項１から３のいずれかに記載の測定装置と、前記外部装置としての携帯端末装置とを備え、当該測定装置による前記物理量の測定結果を当該携帯端末装置の表示部に表示可能に構成されている。
【発明の効果】
【００１２】
請求項１記載の測定装置では、処理部が、外部装置からの制御データが通信部によって受信されたときに制御データ受信フラグをオン状態に制御すると共に要求された送信用データを通信部から外部装置に送信させ、制御データ受信フラグをオン状態に制御した状態において予め規定された条件が満たされたときに制御データ受信フラグをオフ状態に制御する第１の処理と、制御データ受信フラグがオン状態およびオフ状態のいずれであるかを予め規定された時間間隔で特定し、かつオン状態であると特定したときに通信部が通信状態である旨を報知すると共にオフ状態であると特定したときに通信部が非通信状態である旨を報知する第２の処理とを並行して実行する。また、請求項４記載の測定システムでは、上記の測定装置と、外部装置としての携帯端末装置とを備え、測定装置による物理量の測定結果を携帯端末装置の表示部に表示可能に構成されている。
【００１３】
したがって、請求項１記載の測定装置および請求項４記載の測定システムによれば、外部装置と通信可能な状態であるか否かを確実かつ容易に特定することができ、測定装置（通信部）が何も受信していない状態で、通信状態である旨が報知されているときには、外部装置から何も送信されていないことを特定させることができ、非通信状態である旨が報知されているときには、外部装置から何らかのデータが送信されていたとしてもそのデータを受信できていない可能性があることを特定させることができる。
【００１４】
請求項２記載の測定装置および請求項４記載の測定システムでは、処理部が、通信部の作動を開始させたときに、表示部を制御して作動中マークを表示させると共に、第２の処理として、制御データ受信フラグがオン状態であり、かつ作動中マークを表示させているときに作動中マークを非表示にさせ、制御データ受信フラグがオン状態であり、かつ作動中マークを非表示にさせているときに作動中マークを表示させ、制御データ受信フラグがオフ状態であり、かつ作動中マークを表示させているときに作動中マークの表示を継続させ、制御データ受信フラグがオフ状態であり、かつ作動中マークを非表示にさせているときに作動中マークを表示させるマーク表示状態切替え処理を実行する。
【００１５】
したがって、請求項２記載の測定装置および請求項４記載の測定システムによれば、通信部が通信状態および非通信状態のいずれであるかを確実かつ容易に特定して報知することができるだけでなく、作動中マークとは別個のマークの表示状態や、表示部に表示される各種マークとは別個のインジケータの点灯状態に基づいて通信部が通信状態および非通信状態のいずれであるかを報知する構成とは異なり、表示部の貴重な表示領域が、通信状態および非通信状態のいずれであるかを報知するためのマークの表示によって占有されて、測定結果表示等の視認性が低下したり、表示部以外の構成要素（インジケータ等）を設けることに起因して製造コストが高騰したりする事態を招くことなく、外部装置と通信可能な状態であるか否かを確実かつ容易に特定することができる。
【００１６】
請求項３記載の測定装置および請求項４記載の測定システムによれば、処理部が、第１の処理において、制御データを受信してから予め規定された時間が経過したときに予め規定された条件が満たされたと判別して制御データ受信フラグをオフ状態に制御することにより、測定装置（通信部）が外部装置と非通信状態となったときに、制御データ受信フラグを確実にオフ状態に制御して、非通信状態である旨を確実に報知することができる。
【図面の簡単な説明】
【００１７】
【図１】測定システム１００の構成を示すブロック図である。
【図２】測定システム１００における測定装置１およびスマートフォン２の外観図である。
【図３】測定装置１の表示部１３に表示される測定処理用画面３０ａ、およびスマートフォン２の表示部２３に表示される測定処理用画面３０ｂの一例を示す表示画面図である。
【図４】マーク表示処理５０のフローチャートである。
【図５】測定処理用画面３０ａおよび測定処理用画面３０ｂ（モニタ表示領域４１）の他の一例を示す表示画面図である。
【図６】測定処理用画面３０ａおよび測定処理用画面３０ｂ（モニタ表示領域４１）のさらに他の一例を示す表示画面図である。
【発明を実施するための形態】
【００１８】
以下、測定装置および測定システムの実施の形態について、添付図面を参照して説明する。
【００１９】
図１，２に示す測定システム１００は、測定装置１およびスマートフォン２を備えて構成されている。この場合、「スマートフォン」は、広義には、ＰＤＡ（携帯情報端末）の機能が備わった携帯電話を意味するが、本明細書では、この広義の「スマートフォン」のうちの「各種プログラムのインストールによって、任意の機能を付加したり、端末の操作環境や表示環境等をカスタマイズしたりすることができるもの」を「スマートフォン」という。また、上記のスマートフォン２は、「外部装置」としての「携帯端末装置」の一例であって、後述するように、この測定システム１００専用の測定システム用プログラムＤｐがインストールされた既存の「スマートフォン」で構成されている。
【００２０】
測定装置１は、「測定装置」の一例であるクランプ式抵抗測定装置であって、図１に示すように、測定部１１、操作部１２、表示部１３、無線通信部１４、有線通信部１５、制御部１６およびメモリ１７を備えて構成されている。測定部１１は、制御部１６の制御に従い、クランプセンサ部１１ａ（図２参照）によってクランプした図示しない測定対象の接地抵抗（測定対象の電気的パラメータ：「物理量」の一例）を測定して測定データＤｓを出力する。操作部１２は、測定装置１の動作条件（測定条件）を設定操作するための各種操作スイッチを備え、スイッチ操作に応じた操作信号を制御部１６に出力する。表示部１３は、「表示部」の一例であって、制御部１６の制御に従って後述する測定処理用画面３０ａ（図２参照）などを表示する。
【００２１】
この場合、本例の測定装置１では、一例として、測定部１１の測定結果や、測定装置１の動作状態を表示可能な複数のセグメントを有する液晶表示器で表示部１３が構成されている。具体的には、図３に示すように、表示部１３は、セグメントで構成される文字や記号および図柄によって測定結果表示や動作状態表示で構成される測定処理用画面３０ａを表示させることができるように構成されている。より具体的には、表示部１３は、測定結果（測定値）を示す７セグメント表示方式の文字および「．」や、「Ω」、「ｍ」および「Ａ」などの単位記号で構成された測定結果表示３１、並びに、操作部１２のＨＯＬＤスイッチが操作されている旨を示すＨＯＬＤ表示３２、測定部１１による測定処理に際してフィルタ処理が実行されている旨を示すＦＩＬＴＥＲ表示３３、無線通信部１４が作動中である旨を示す作動中マーク３４（この例では、ブルートゥースマーク）、および図示しないバッテリの残量を示すバッテリ残量表示３５で構成された動作状態表示を表示可能に構成されている。
【００２２】
無線通信部１４は、「通信部」に相当し、一例として、Ｂｌｕｅｔｏｏｔｈ規格に準じた近距離無線通信を実行可能に構成されている。この無線通信部１４は、後述するようにスマートフォン２との間でペアリングされた状態において、スマートフォン２から送信された制御データＤ０などを受信して制御部１６に出力すると共に、制御部１６の制御に従って表示用データＤ１（「送信用データ」の一例）などをスマートフォン２に送信する。有線通信部１５は、一例として、ＵＳＢ規格に準じた接続コネクタ（図示せず）を備えて、この接続コネクタに接続される信号ケーブルＣ（図１参照）を介してスマートフォン２と接続可能に構成されている。また、有線通信部１５は、信号ケーブルＣを介してスマートフォン２と接続された状態において、スマートフォン２から送信された制御データＤ０などを受信して制御部１６に出力すると共に、制御部１６の制御に従って表示用データＤ１などをスマートフォン２に送信する。
【００２３】
制御部１６は、「処理部」の一例であって、測定装置１を総括的に制御する。具体的には、制御部１６は、操作部１２のスイッチ操作によって設定された測定条件に従って測定部１１を制御して測定対象の接地抵抗を測定させる。また、制御部１６は、測定部１１から出力された測定データＤｓや測定装置１の動作状態に基づき、表示部１３に測定処理用画面３０ａを表示させたり、スマートフォン２に測定処理用画面３０ｂ（後述するモニタ表示領域４１：図２参照）を表示させたりするための表示用データＤ１を生成する。さらに、制御部１６は、表示部１３を制御して測定処理用画面３０ａ（図２参照）を表示させる。
【００２４】
また、制御部１６は、操作部１２のスイッチ操作によって無線通信部１４を作動させる（オン状態とする）よう指示されたときに、図示しない電源部を制御して無線通信部１４に対して電源を供給させて無線通信部１４の作動を開始させ、操作部１２のスイッチ操作によって無線通信部１４を停止させる（オフ状態とする）よう指示されたときに、電源部を制御して無線通信部１４に対する電源の供給を停止させて無線通信部１４の作動を停止させる。さらに、制御部１６は、無線通信部１４や有線通信部１５を制御して、スマートフォン２からの制御データＤ０の受信処理、およびスマートフォン２に対する表示用データＤ１の送信処理を実行させる。この場合、この測定装置１では、電源が投入されている状態において、制御部１６が図４に示すマーク表示処理５０を実行して無線通信部１４の作動状態を報知する構成が採用されている。なお、マーク表示処理５０の具体的内容については、後に詳細に説明する。メモリ１７は、制御部１６の動作プログラム、測定部１１から出力された測定データＤｓ、および制御部１６によって生成される表示用データＤ１などを記憶する。
【００２５】
一方、スマートフォン２は、上記したように、測定システム用プログラムＤｐがインストールされた既存のスマートフォンで構成されている。具体的には、図１に示すように、スマートフォン２は、本体メモリ２１、操作部２２、表示部２３、無線通信部２４、有線通信部２５、制御部２６およびストレージメモリ装着部２７を備えて構成されている。なお、スマートフォン２における「携帯電話としての機能」や「ＰＤＡとしての機能」を実現するための構成要素については公知のため、図示および説明を省略する。本体メモリ２１は、スマートフォン２の動作プログラムを記憶すると共に、測定システム用プログラムＤｐ等の各種プログラム（利用者がインストールしたプログラム）を記憶する。なお、測定システム用プログラムＤｐ等のプログラムの一部については、ストレージメモリ装着部２７に装着されたストレージメモリＭにインストールすることもできる。
【００２６】
操作部２２は、図示しない電源スイッチなどの他に、表示部２３の表面側に配設されたタッチパネルを備えて構成されて、これらの操作に応じた操作信号を制御部２６に出力する。表示部２３は、「携帯端末装置の表示部」の一例であって、制御部２６の制御に従って各種の表示画面を表示する。この場合、この測定システム１００では、後述するようにスマートフォン２において測定システム用プログラムＤｐが実行されたときに、測定装置１の表示部１３に表示されている測定処理用画面３０ａと同じレイアウトで、この測定処理用画面３０ａと同じ情報を示すモニタ表示領域４１（図２参照）がスマートフォン２の表示部２３における測定処理用画面３０ｂ（図２参照）に表示される構成が採用されている。また、本例のスマートフォン２では、上記のモニタ表示領域４１に加えて、操作部２２におけるタッチパネルの操作によって、本体メモリ２１、または、ストレージメモリ装着部２７に装着されているストレージメモリＭに表示用データＤ１を記憶させる（表示用データＤ１を保存する）ための操作スイッチ表示領域４２が測定処理用画面３０ｂ内に表示される構成が採用されている。
【００２７】
無線通信部２４は、測定装置１の無線通信部１４と同様にして、Ｂｌｕｅｔｏｏｔｈ規格に準じた近距離無線通信を実行可能に構成されている。この無線通信部２４は、後述するように、測定装置１との間でペアリングされた状態において、制御部２６の制御に従って測定装置１に制御データＤ０を送信すると共に、測定装置１から送信された表示用データＤ１を受信して制御部２６に出力する。有線通信部２５は、測定装置１の有線通信部１５と同様にして、ＵＳＢ規格に準じた接続コネクタを備えて、この接続コネクタに接続される信号ケーブルＣ（図１参照）を介して測定装置１や図示しない各種の外部装置と接続可能に構成されている。この有線通信部２５は、信号ケーブルＣを介して測定装置１と接続された状態において、制御部２６の制御に従って測定装置１に制御データＤ０を送信すると共に、測定装置１から送信された表示用データＤ１を受信して制御部２６に出力する。
【００２８】
制御部２６は、スマートフォン２を総括的に制御する。具体的には、制御部２６は、操作部２２の操作によって測定システム用プログラムＤｐの実行を指示されたときに、測定処理用画面３０ｂを表示部２３に表示させると共に、無線通信部２４または有線通信部２５を制御して、表示用データＤ１の送信開始を要求する制御データＤ０を予め設定された周期で測定装置１に対して定期的に送信させる送信処理を実行する。また、制御部２６は、無線通信部２４または有線通信部２５を介して受信した表示用データＤ１に基づいて測定処理用画面３０ｂ内にモニタ表示領域４１を表示させる。さらに、制御部２６は、操作部２２の操作によって表示用データＤ１の保存を指示されたときに、測定システム用プログラムＤｐに従い、本体メモリ２１およびストレージメモリＭのうちの予め設定された一方に表示用データＤ１を記憶させる。
【００２９】
この測定システム１００の使用に際しては、まず、スマートフォン２に測定システム用プログラムＤｐをインストールする。この測定システム用プログラムＤｐについては、一例として、測定装置１の附属品としてインストール用光ディスクを提供したり、インターネット内の任意のサイトからダウンロードして使用するようにしたりすることができる。なお、測定システム用プログラムＤｐのインストール作業に関しては、既存の一般的なスマートフォンに対する各種プログラムのインストール作業と同様のため、詳細な説明を省略する。次いで、測定装置１（無線通信部１４）とスマートフォン２（無線通信部２４）との間においてＢｌｕｅｔｏｏｔｈのペアリングを行う。なお、ペアリング作業に関しては、公知の各種Ｂｌｕｅｔｏｏｔｈ機器のペアリング作業と同様のため、詳細な説明を省略する。これにより、測定システム１００を使用する準備が整う。
【００３０】
一方、測定システム１００を使用して測定対象についての測定処理を実施するには、一例として、測定装置１の操作部１２を制御して測定処理の条件を設定すると共に、クランプセンサ部１１ａによって測定対象をクランプする。次いで、操作部１２のスタートスイッチが操作されたときに、制御部１６が、設定された測定条件に従って測定部１１を制御して測定処理を開始させ、測定部１１が、クランプセンサ部１１ａによってクランプされている測定対象の接地抵抗を測定して測定データＤｓ（測定値）を制御部１６に出力する。また、制御部１６は、測定部１１から出力された測定データＤｓをメモリ１７に記憶させると共に、記憶させた測定データＤｓ、および測定装置１の動作状態に基づいて表示用データＤ１を生成する。さらに、制御部１６は、測定データＤｓ、および測定装置１の動作状態に基づいて表示用データを生成して表示部１３に出力する。これにより、図２に示すように、測定対象についての接地抵抗を示す測定結果表示３１が表示部１３の測定処理用画面３０ａに表示される。
【００３１】
一方、測定装置１による測定結果や測定装置１の動作状態をスマートフォン２の表示部２３に表示させる際には、測定装置１の操作部１２を制御して無線通信部１４の作動を開始させると共に、スマートフォン２の操作部２２を操作して無線通信部２４の作動を開始させる。この際には、前述したペアリング作業によってペアリングされた測定装置１（無線通信部１４）とスマートフォン２（無線通信部２４）との間において無線接続が確立されて相互に通信可能な状態となる。次いで、操作部２２を操作して、測定システム用プログラムＤｐを起動させる。この際に、制御部２６は、測定システム用プログラムＤｐに従い、表示部２３を制御して表示部２３に測定処理用画面３０ｂを表示させると共に、無線通信部２４を制御して測定装置１に対して表示用データＤ１の送信開始を要求する制御データＤ０の送信処理を開始させる。なお、無線通信部２４の作動を開始させる上記の作業、および測定システム用プログラムＤｐを起動させる上記の作業の実行順序はこれに限定されず、測定システム用プログラムＤｐを起動させた後に無線通信部２４の作動（制御データＤ０の送信処理）を開始させてもよい。
【００３２】
また、測定装置１では、無線通信部１４によって制御データＤ０が受信されたときに、制御部１６が、メモリ１７内に規定した制御データ受信フラグをオン状態に制御する。次いで、制御部１６は、制御データＤ０によって送信を要求された表示用データＤ１を無線通信部１４からスマートフォン２に送信させる。また、制御部１６は、制御データ受信フラグをオン状態に制御してから（すなわち、スマートフォン２からの制御データＤ０を受信してから）、予め規定された時間（一例として、０．５秒）が経過したときに（「予め規定された条件が満たされたとき」の一例）、上記の制御データ受信フラグをオフ状態に制御する。なお、この例では、無線通信部１４による制御データＤ０の受信に伴って制御データ受信フラグをオン状態に制御してから、予め規定された時間が経過したときに制御データ受信フラグをオフ状態に制御するまでの一連の処理が「第１処理」に相当する。また、この測定装置１では、スマートフォン２から制御データＤ０が送信される都度、制御部１６が、この「第１の処理」を実行する。
【００３３】
一方、スマートフォン２では、無線通信部２４によって表示用データＤ１が受信されたときに、制御部２６が、表示部２３を制御して、モニタ表示領域４１内に測定結果や測定装置１の動作状態を表示させる。これにより、例えば図２に示すように、測定装置１の表示部１３に表示されている測定処理用画面３０ａと同様に測定結果表示３１等がモニタ表示領域４１内に表示された測定処理用画面３０ｂがスマートフォン２の表示部２３に表示される。この後、制御部２６は、一例として、前回の表示用データＤ１の送信（表示用データＤ１の要求）から０．５秒が経過した時点において、次の表示用データＤ１の送信を要求する制御データＤ０を無線通信部２４から送信させ、これに応じて測定装置１から送信される表示用データＤ１に基づき、測定処理用画面３０ｂ内のモニタ表示領域４１を更新する。これにより、スマートフォン２の表示部２３に表示されている測定処理用画面３０ｂのモニタ表示領域４１に、測定装置１の表示部１３に表示されている測定処理用画面３０ａと同様の情報が０．５秒間隔で更新されて表示される。
【００３４】
この場合、この測定システム１００における測定装置１では、前述したように、測定装置１に電源が投入されている状態（測定装置１が作動している状態）において、制御部１６が図４に示すマーク表示処理５０を実行する構成が採用されている。このマーク表示処理５０では、制御部１６は、操作部１２の操作によって無線通信部１４の作動を開始させるよう指示されたか否かを監視する（ステップ５１）。また、作動を開始させるよう指示されたときには、制御部１６は、前述したように、図示しない電源部を制御して無線通信部１４に対して電源を供給させて無線通信部１４の作動を開始させると共に、図５に示すように、表示部１３を制御して測定処理用画面３０ａ内に作動中マーク３４を表示させる（ステップ５２）。
【００３５】
次いで、制御部１６は、操作部１２の操作によって無線通信部１４の作動を停止させるよう指示されたか否かを判別する（ステップ５３）。この際に、例えば、無線通信部１４の作動を開始させる指示の直後に作動を停止するよう指示されたときには、制御部１６は、図６に示すように、表示部１３を制御して測定処理用画面３０ａ内に表示させている作動中マーク３４を非表示にした後に（ステップ５４）、作動を開始させるよう指示されたか否かを再び監視する（ステップ５１）。一方、上記のステップ５３において、作動を停止させるよう指示されていないと判別したときには、制御部１６は、制御データ受信フラグがオン状態であるか否かを判別する（ステップ５５）。
【００３６】
この際に、制御データ受信フラグがオン状態であると判別したときには、制御部１６は、表示部１３に作動中マーク３４を表示させているか否かを判別する（ステップ５６）。また、制御部１６は、作動中マーク３４を表示させていると判別したときに、表示部１３を制御して作動中マーク３４を非表示にさせた後に（ステップ５７）、上記のステップ５３に戻ると共に、作動中マーク３４を表示させていないと判別したときに、表示部１３を制御して作動中マーク３４を表示させた後に（ステップ５８）、上記のステップ５３に戻る。一方、上記のステップ５５において、制御データ受信フラグがオフ状態であると判別したときに、制御部１６は、作動中マーク３４を表示させていないときには表示部１３を制御して作動中マーク３４を表示させ、作動中マーク３４を表示させているときには表示部１３を制御して作動中マーク３４の表示を継続させて（ステップ５８）、上記のステップ５３に戻る。
【００３７】
この場合、本例では、上記のステップ５５〜５８の一連の処理が「第２の処理」としての「マーク表示状態切替え処理」に相当し、測定装置１に電源が投入されている状態において、前述した「第１の処理」と並行して、この「第２の処理」が繰り返し実行される。また、本例の測定装置１では、ステップ５５において制御データ受信フラグの状態を判別した後に、ステップ５６，５７およびステップ５３の処理、または、ステップ５６，５８およびステップ５３の処理を経て再びステップ５５の判別を実行するまでの時間（ステップ５５の判別処理を実行する時間間隔：「予め規定された時間間隔」の一例）が、一例として０．５秒程度となるように規定されている。さらに、この測定装置１では、前述したように、制御部１６が、無線通信部１４によって制御データＤ０が受信されたときに制御データ受信フラグをオン状態に制御すると共に、制御データ受信フラグをオン状態に制御してから予め規定された時間（この例では、０．５秒）が経過したときに制御データ受信フラグをオフ状態に制御する構成が採用されている。また、本例の測定システム１００では、スマートフォン２が測定装置１に対して表示用データＤ１の送信を要求する制御データＤ０を０．５秒間隔で送信する。
【００３８】
したがって、本例では、スマートフォン２から測定装置１に制御データＤ０が０．５秒周期で定期的に送信されて、この制御データＤ０が測定装置１（無線通信部１４）によって正常に受信されている間（すなわち、測定装置１の測定装置１がスマートフォン２からのデータを受信する処理を定期的に実行している間：「通信状態」の一例）、測定装置１において制御データ受信フラグがオン状態に維持される。このため、最初に実行されるステップ５５において制御データ受信フラグがオン状態であると特定されたときには、ステップ５６において作動中マーク３４を表示させていると判別された後に、ステップ５７において作動中マーク３４が非表示となり、次に実行されるステップ５５においても制御データ受信フラグがオン状態であると特定され、ステップ５６において作動中マーク３４を表示させていないと判別された後に、ステップ５８において作動中マーク３４が表示され、その後に、ステップ５３，５５，５６，５７の各処理と、ステップ５３，５５，５６，５８の各処理とが交互に実行されることとなる。
【００３９】
これより、制御データ受信フラグがオン状態に制御されている限り（すなわち、測定装置１がスマートフォン２と通信状態である限り）、作動中マーク３４が「予め規定された時間間隔（この例では０．５秒間隔）」で表示状態／非表示状態に交互に切り替わる（作動中マーク３４が一定の０．５秒周期で点滅する）こととなる。したがって、表示部１３（測定処理用画面３０ａ）において点滅する作動中マーク３４を見たオペレータに対して、無線通信部１４がスマートフォン２（無線通信部２４）と通信している「通信状態」である旨を認識させることができる（「通信状態である旨の報知」の一例）。
【００４０】
この場合、作動中マーク３４を点滅させることで「通信状態」である旨を報知する際に、例えば、作動中マーク３４が表示されている時間を非表示の状態の時間よりも短くした場合には、作動中マーク３４の認識が困難となるおそれがあり、逆に、作動中マーク３４が表示されている時間を非表示の状態の時間よりも長くした場合には、作動中マーク３４が点灯していると誤って認識されるおそれがある。これに対して、制御データ受信フラグがオン状態に制御されている間、作動中マーク３４が表示された状態および非表示の状態が一定周期（この例では、０．５秒周期）で繰り返されることで、作動中マーク３４が表示されている時間と非表示の状態の時間とが互いに等しい時間（この例では、０．５秒）となっている本例の測定装置１では、作動中マーク３４が点滅して表示されている旨を確実に認識させることが可能となっている。
【００４１】
一方、測定装置１およびスマートフォン２のいずれか一方が他方から離れ過ぎてスマートフォン２から送信された制御データＤ０を測定装置１（無線通信部１４）が正常に受信できなくなったとき、制御データＤ０等の正常な受信が困難な程度のノイズが発生したとき、または、スマートフォン２が制御データＤ０の送信（表示用データＤ１の送信要求）を停止したときには（それぞれ「非通信状態」の一例）、制御データＤ０を正常に受信した時点から０．５秒が経過した時点において制御データ受信フラグがオフ状態に制御され、その後に、スマートフォン２からの制御データＤ０が正常に受信されるまで（「通信状態」となるまで）、制御データ受信フラグがオフ状態に維持される。このため、ステップ５５において制御データ受信フラグがオフ状態であると特定されてステップ５８において作動中マーク３４が表示され（作動中マーク３４の表示が継続され）、その後に実行されるステップ５５においても制御データ受信フラグがオフ状態であると特定されてステップ５８において作動中マーク３４が表示された状態が継続されることとなる。
【００４２】
これより、制御データ受信フラグがオフ状態に制御されている限り（すなわち、測定装置１がスマートフォン２と非通信状態である限り）、作動中マーク３４の表示が継続される（作動中マーク３４が点灯した状態が維持される）こととなる。したがって、表示部１３（測定処理用画面３０ａ）において点滅せずに点灯し続ける作動中マーク３４を見たオペレータに対して、無線通信部１４がスマートフォン２（無線通信部２４）と通信していない「非通信状態」である旨を認識させることができる（「非通信状態である旨の報知」の一例）。また、スマートフォン２からの表示用データＤ１の送信が停止した場合を除き、スマートフォン２から測定装置１に表示用データＤ１が送信されている場合には、測定装置１とスマートフォン２との距離が通信可能距離範囲内となったり、ノイズが発生しない状態となったりして測定装置１（無線通信部１４）が表示用データＤ１を正常に受信した際に制御データ受信フラグがオン状態に制御される結果、上記したように、表示部１３（測定処理用画面３０ａ）において作動中マーク３４が点滅させられる。これにより、無線通信部１４がスマートフォン２（無線通信部２４）と再び「通信状態」となった旨を認識させることができる（「通信状態である旨の報知」の他の一例）。
【００４３】
この場合、無線通信部１４が「通信状態」および「非通信状態」のいずれであるかに応じて作動中マーク３４の表示態様（この例では、点滅または点灯）を変更することで「通信状態」および「非通信状態」のいずれであるかを報知する構成に代えて、例えば、「通信状態」のときに「通信中」とのメッセージを表示部１３に表示させ、「非通信状態」のときに「通信停止中」とのメッセージを表示させることで、「通信状態」および「非通信状態」のいずれであるかを報知することもできる。しかしながら、このような構成を採用する場合においても無線通信部１４が作動中であるか否かを報知するための作動中マーク３４を上記のメッセージとは別個に表示部１３に表示させる必要があることから、表示画面が混み合った状態となり、測定結果表示３１等の視認性が低下するおそれがある。しかしながら、この測定装置１では、無線通信部１４が作動中であるか否かを報知するための作動中マーク３４の表示態様を切り替えることで「通信状態」および「非通信状態」のいずれであるかを報知するため、これを報知するための情報によって表示部１３の貴重な表示領域が占有されることなく、測定結果表示３１等を確実かつ容易に視認することが可能となっている。
【００４４】
このように、この測定装置１では、制御部１６が、スマートフォン２からの制御データＤ０が無線通信部１４によって受信されたときに制御データフラグをオン状態に制御すると共に要求された表示用データＤ１を無線通信部１４からスマートフォン２に送信させ、制御データフラグをオン状態に制御した状態において「予め規定された条件」が満たされたときに制御データフラグをオフ状態に制御する「第１の処理」と、制御データフラグがオン状態およびオフ状態のいずれであるかを予め規定された時間間隔で特定し、かつオン状態であると特定したときに無線通信部１４が「通信状態」である旨を報知すると共にオフ状態であると特定したときに無線通信部１４が「非通信状態」である旨を報知する「第２の処理」とを並行して実行する。また、この測定システム１００では、上記の測定装置１と、「外部装置」としての「携帯端末装置」に相当するスマートフォン２とを備え、測定装置１による物理量の測定結果をスマートフォン２の表示部２３に表示可能に構成されている。
【００４５】
したがって、この測定装置１および測定システム１００によれば、スマートフォン２と通信可能な状態であるか否かを確実かつ容易に特定することができ、測定装置１（無線通信部１４）が何も受信していない状態で、「通信状態」である旨が報知されているときには、スマートフォン２から何も送信されていないことを特定させることができ、「非通信状態」である旨が報知されているときには、スマートフォン２から何らかのデータが送信されていたとしてもそのデータを受信できていない可能性があることを特定させることができる。
【００４６】
また、この測定装置１および測定システム１００では、制御部１６が、無線通信部１４の作動を開始させたときに、表示部１３を制御して作動中マーク３４を表示させると共に、「第２の処理」として、制御データ受信フラグがオン状態であり、かつ作動中マーク３４を表示させているときに作動中マーク３４を非表示にさせ、制御データ受信フラグがオン状態であり、かつ作動中マーク３４を非表示にさせているときに作動中マーク３４を表示させ、制御データ受信フラグがオフ状態であり、かつ作動中マーク３４を表示させているときに作動中マーク３４の表示を継続させ、制御データ受信フラグがオフ状態であり、かつ作動中マーク３４を非表示にさせているときに作動中マーク３４を表示させる「マーク表示状態切替え処理」を実行する。
【００４７】
したがって、この測定装置１および測定システム１００によれば、無線通信部１４が「通信状態」および「非通信状態」のいずれであるかを確実かつ容易に特定して報知することができるだけでなく、作動中マーク３４とは別個のマークの表示状態や、表示部１３（測定処理用画面３０ａ）に表示される各種マークとは別個のインジケータの点灯状態に基づいて無線通信部１４が「通信状態」および「非通信状態」のいずれであるかを報知する構成とは異なり、表示部１３の貴重な表示領域が、「通信状態」および「非通信状態」のいずれであるかを報知するためのマークの表示によって占有されて、測定結果表示３１の視認性が低下したり、表示部１３以外の構成要素（インジケータ等）を設けることに起因して製造コストが高騰したりする事態を招くことなく、スマートフォン２と通信可能な状態であるか否かを確実かつ容易に特定することができる。
【００４８】
さらに、この測定装置１および測定システム１００によれば、制御部１６が、「第１の処理」において、制御データＤ０を受信してから予め規定された時間（この例では、０．５秒）が経過したときに「予め規定された条件」が満たされたと判別して制御データフラグをオフ状態に制御することにより、測定装置１（無線通信部１４）がスマートフォン２と「非通信状態」となったときに、制御データ受信フラグを確実にオフ状態に制御して、「非通信状態」である旨を確実に報知することができる。
【００４９】
なお、測定装置および測定システムの構成は、上記の例示に限定されない。例えば、作動中マーク３４の表示態様を切り替えることで、測定装置１（無線通信部１４）が「通信状態」および「非通信状態」のいずれであるかを報知する構成の測定装置１を例に挙げて説明したが、この構成に代えて、報知専用のマーク（図示せず）の表示態様を切り替えることで「通信状態」および「非通信状態」のいずれであるかを報知する構成、表示部１３とは別個に設けた専用のインジケータの表示態様を切り替えることで「通信状態」および「非通信状態」のいずれであるかを報知する構成、および音声によって「通信状態」および「非通信状態」のいずれであるかを報知する構成などを採用することもできる。このような構成を採用した場合においても、上記の測定装置１と同様の効果を奏することができる。
【００５０】
また、「予め規定された条件が満たされたとき」との状態の一例として「制御データ受信フラグをオン状態に制御してから予め規定された時間が経過したとき（上記の例では、スマートフォン２からの制御データＤ０の送信間隔と同じ０．５秒が経過したとき）」に制御データ受信フラグをオフ状態に制御する構成の測定装置１を例に挙げて説明したが、「予め規定された時間」は、スマートフォン２からの制御データＤ０の送信間隔と同じ時間である必要はなく、制御データＤ０の送信間隔以下の任意の時間とすることができる。また、「予め規定された条件」は、「予め規定された時間が経過したとき」に限定されず、例えば、「無線通信部１４からスマートフォン２（無線通信部２４）への表示用データＤ１の送信を完了したとき」に制御データ受信フラグをオフに制御する構成を採用することもできる。このような構成を採用した場合においても、上記の測定装置１と同様の効果を奏することができる。
【００５１】
さらに、Ｂｌｕｅｔｏｏｔｈ規格に準じた近距離無線通信を実行可能な無線通信部１４を有する測定装置１を備えた測定システム１００を例に挙げて説明したが、この構成に代えて、または、この構成に加えて、各種無線ＬＡＮ規格、ＺｉｇＢｅｅ（登録商標）規格、およびＩｒＤＡ規格等の各種無線通信規格に準じた無線通信を実行可能な無線通信部（図示せず）を「通信部」として備えた「測定装置」を備えて「測定システム」を構成することもできる。このような構成を採用した場合においても、上記のマーク表示処理５０と同様の処理を実行することで、上記の測定装置１、および測定装置１を備えた測定システム１００と同様の効果を奏することができる。また、無線通信部１４による無線通信に関して「通信状態」および「非通信状態」のいずれかを報知する構成の測定装置１について説明したが、このような構成に代えて（または、このような構成に加えて）、有線通信部１５による有線通信に関して「通信状態」および「非通信状態」のいずれかを報知する構成を採用することもできる。
【００５２】
また、「送信用データ」として測定装置１からスマートフォン２に表示用データＤ１を送信する例について説明したが、表示用データＤ１に代えて、測定データそのものを「送信用データ」として測定装置１からスマートフォン２に送信する構成を採用することもできる。さらに、「外部装置」としての「携帯情報端末」の一例としてスマートフォン２を備えて構成した測定システム１００を例に挙げて説明したが、「外部装置（携帯情報端末）」はスマートフォンに限定されず、「測定装置の通信部」と通信可能な機器であれば、例えば、携帯電話やパーソナルコンピュータ等の汎用機器、および測定システム専用の電子機器をスマートフォン２に代えて使用することができる。また、クランプ式抵抗測定装置である測定装置１を備えた構成を例に挙げて説明したが、「測定装置」の構成はこれに限定されず、電流値、電圧値、抵抗値、電力値、位相、温度、湿度、輝度（光度）、照度、雨量および流量等の各種の「物理量」を測定する構成を採用することができる。
【符号の説明】
【００５３】
１００  測定システム
１  測定装置
２  スマートフォン
１１  測定部
１３，２３  表示部
１４，２４  無線通信部
１５，２５  有線通信部
１６，２６  制御部
１７  メモリ
３０ａ，３０ｂ  測定処理用画面
３１  測定結果表示
３４  作動中マーク
５０  マーク表示処理
Ｃ  信号ケーブル
Ｄ０  制御データ
Ｄ１  表示用データ
Ｄｓ  測定データ
Ｄｐ  測定システム用プログラム
【図１】
2014011603.tif 000003
【図２】
2014011603.tif 000004
【図３】
2014011603.tif 000005
【図４】
2014011603.tif 000006
【図５】
2014011603.tif 000007
【図６】
2014011603.tif 000008